(57)【特許請求の範囲】
【請求項１】
撮像部と、
第１の期間において上記撮像部によって得られた撮像画像を表示部に表示すると共に、上記第１の期間に次ぐ第２の期間において、上記表示部における上記撮像画像の表示領域を徐々に縮小すると共に、上記第２の期間中の操作に応じて、上記表示部における上記撮像画像の表示領域を増減させると共に上記第２の期間を可変にする制御部とを具備し、
上記制御部は、上記表示領域の増減量及び上記第２の期間の延長短縮量を上記第２の期間中の操作の操作量に応じて決定することを特徴とする撮影機器。
【請求項２】
上記制御部は、上記第２の期間において、上記表示部における上記撮像画像の表示領域以外の領域に、上記撮像部が取得中の取得中撮像画像を表示することを特徴とする請求項１に記載の撮影機器。
【請求項３】
上記制御部は、上記第２の期間中の操作が、上記撮像画像の表示領域とそれ以外の領域とのいずれの領域を指定する操作かに応じて、上記表示部における上記撮像画像の表示領域の増減及び上記第２の期間の延長短縮を決定することを特徴とする請求項２に記載の撮影機器。
【請求項４】
上記制御部は、上記第２の期間中の操作が上記表示部をスライドさせながらタッチする操作である場合において、スライド方向に応じて、上記表示部における上記撮像画像の表示領域の増減及び上記第２の期間の延長短縮を決定することを特徴とする請求項２に記載の撮影機器。
【発明の詳細な説明】
【技術分野】
【０００１】
本発明は、レックビュー機能を有する撮影機器に関する。
【背景技術】
【０００２】
近年、デジタルカメラなどの撮影機能付き携帯機器（撮影機器）が普及している。この種の撮影機器においては、記録画像を確認するためのレックビュー機能を搭載したものがある。レックビュー機能は、撮像して記録した画像を撮像の直後において所定時間表示させるものである。ユーザはレックビューによって撮影状態を確認することができ、極めて便利である。
【０００３】
しかしながら、レックビュー表示のために、撮影直後の所定時間スルー画を表示させることができなくなることから、ユーザがレックビューの表示時間を短縮させたい場合がある。逆に、ユーザが撮影画像を十分な時間をかけて確認したい場合等、レックビューの表示時間を延長させたい場合もある。
【０００４】
そこで、レックビューの表示時間を設定可能に構成された撮影機器もある。しかしながら、このような撮影機器では、レックビュー表示が行われる前にレックビュー表示時間の設定変更操作が必要であり、操作が煩雑である。レックビュー表示後にレックビュー表示時間の設定を変更する技術として、特許文献１に開示されたものがある。特許文献１においては、カメラの傾きによってレックビュー表示を終了させる技術を開示している。
【先行技術文献】
【特許文献】
【０００５】
【特許文献１】特開２００５−２８６９８６号公報
【発明の概要】
【発明が解決しようとする課題】
【０００６】
しかしながら、特許文献１の技術では、レックビュー表示の表示を消すために必ずカメラを傾ける必要があり、必ずしも操作性に優れていない。また、特許文献１の技術では、所定時間後に自動的にレックビュー表示を消すことも可能であるが、この設定を行った場合には、レックビュー表示を更に延長し表示させることはできない。
【０００７】
本発明は、撮影後のレックビュー表示の表示時間を簡単に変更することができる撮影機器を提供することを目的とする。
【課題を解決するための手段】
【０００８】
本発明に係る撮影機器は、撮像部と、第１の期間において上記撮像部によって得られた撮像画像を表示部に表示すると共に、上記第１の期間に次ぐ第２の期間において、上記表示部における上記撮像画像の表示領域を徐々に縮小すると共に、上記第２の期間中の操作に応じて、上記表示部における上記撮像画像の表示領域を増減させると共に上記第２の期間を可変にする制御部とを具備し、上記制御部は、上記表示領域の増減量及び上記第２の期間の延長短縮量を上記第２の期間中の操作の操作量に応じて決定する。
【発明の効果】
【０００９】
本発明によれば、撮影後のレックビュー表示の表示時間を簡単に変更することができるという効果を有する。
【図面の簡単な説明】
【００１０】
【図１】本発明の第１の実施の形態に係る撮影機器の回路構成を示すブロック図。
【図２】レックビュー制御部１１ｃの制御の一例を説明するための説明図である。
【図３】レックビュー制御部１１ｃの制御の一例を説明するための説明図である。
【図４】第１の実施の形態の動作を説明するためのフローチャート。
【図５】図４中のタッチ判定の具体的な処理を示すフローチャート。
【図６】横軸に時間をとり縦軸にレックビュー画像の表示左端の画面上の位置をとって、タッチ判定における判定結果を説明するためのグラフ。
【図７】第２の実施の形態に係る撮影機器の外観を示す斜視図。
【図８】第２の実施の形態におけるレックビュー表示を説明するための説明図である。
【図９】第２の実施の形態におけるレックビュー表示を説明するための説明図である。
【図１０】第２の実施の形態におけるレックビュー表示を説明するための説明図である。
【図１１】第２の実施の形態におけるレックビュー表示を説明するための説明図である。
【図１２】第２の実施の形態におけるレックビュー表示を説明するための説明図である。
【図１３】第２の実施の形態の動作を説明するためのフローチャート。
【図１４】第２の実施の形態の動作を説明するためのフローチャート。
【発明を実施するための形態】
【００１１】
以下、図面を参照して本発明の実施の形態について詳細に説明する。
【００１２】
（第１の実施の形態）
図１は本発明の第１の実施の形態に係る撮影機器の回路構成を示すブロック図である。
【００１３】
撮影機器１０は、ＣＣＤやＣＭＯＳセンサ等の撮像素子によって構成された撮像部２を有している。撮影機器１０の前面に設けた図示しない撮影レンズを含む光学系からの被写体の光学像は、撮像部２を構成する撮像素子の撮像面に結像するようになっている。この撮像部２は、信号処理及び制御部１１によって駆動制御される。信号処理及び制御部１１は、撮像部２に撮像素子の駆動信号を出力すると共に、撮像素子が光学像を光電変換して得た画像信号を取り込む。
【００１４】
信号処理及び制御部１１は、撮像素子の光電変換によって得られた画像信号に対して、所定の信号処理、例えば、色信号生成処理、マトリックス変換処理、その他各種のデジタル処理を行う。信号処理及び制御部１１は、画像信号及び音声信号等の記録に際して、符号化処理を施して圧縮した画像情報及び音声情報等を出力することもできるようになっている。
【００１５】
また、撮影機器１０には、操作判定部３、時計部４、タッチパネル８も配設されている。時計部４は信号処理及び制御部１１が用いる時間情報を発生する。操作判定部３は、撮影機器１０に設けられた撮影開始終了ボタンや撮影モード設定等の図示しない各種スイッチに対するユーザ操作に基づく操作信号を発生して、信号処理及び制御部１１に出力するようになっている。タッチパネル８は、ユーザのタッチ操作に基づく操作信号を発生して、信号処理及び制御部１１に出力するようになっている。信号処理及び制御部１１は、操作信号に基づいて、各部を制御する。
【００１６】
また、撮影機器１０には、表示制御部１１ａ及び記録再生制御部１１ｂが設けられている。記録再生制御部１１ｂは、信号処理及び制御部１１からの画像情報及び音声情報を記録部９に与えて記録することができるようになっている。記録部９は記録再生制御部１１ｂに制御されて、記録及び再生を行う。記録部９としては、例えばカードインターフェースを採用することができ、記録部９はメモリカード等の記録媒体に画像情報及び音声情報等を記録可能である。また、記録部９は、記録媒体に記録された画像情報及び音声情報を読み出して信号処理及び制御部１１の記録再生制御部１１ｂに供給することができる。信号処理及び制御部１１は、記録再生制御部１１ｂによって再生された記録部９からの画像情報及び音声情報を復号化して、画像信号及び音声信号を得ることができるようになっている。
【００１７】
表示制御部１１ａは、撮像部２からの撮像画像や記録再生制御部１１ｂからの再生画像を表示部６に与えて、これらの画像を表示させるようになっている。また、表示制御部１１ａは、撮影機器１０の操作を行うためのメニュー表示等を表示部６に表示させることもできるようになっている。表示部６は、撮影機器１０の本体の例えば背面に設けられており、撮影者は、撮影時に表示部６の表示画面を視認可能になっている。表示部６としては、ＬＣＤパネル等を採用可能である。
【００１８】
この表示部６の表示画面上にタッチパネル８を配設することも可能である。タッチパネル８は、ユーザが指で指し示した位置に応じた操作信号を発生する。タッチパネル８を表示部６の表示画面上に設けた場合には、ユーザは、表示部６の表示画面上に表示された各種コマンドボタンを、タッチパネル８により指示することができる。これにより、タッチパネル８は表示部６の表示画面上に表示された各種コマンドボタンに対応した操作信号を信号処理及び制御部１１に出力することができる。
【００１９】
本実施の形態においては、信号処理及び制御部１１には、レックビュー制御部１１ｃが設けられている。レックビュー制御部１１ｃは、撮影直後において信号処理及び制御部１１によって撮像部２から取り込まれて画像処理された撮像画像を、レックビュー画像として表示部６の表示画面上に表示させるレックビュー表示を行う。レックビュー制御部１１ｃは、レックビュー表示を終了する場合には、レックビュー画像を表示画面から徐々に消去することで、ユーザにおいてレックビュー表示が終了しようとしていることを認識させると共に、レックビュー表示が終了する前に所望の操作をユーザさせる余裕を与えるようになっている。
【００２０】
レックビュー制御部１１は、レックビュー画像を表示画面上から完全に消去するのに要する時間、即ち、レックビュー画像の消去処理開始から消去処理完了までの時間（以下、消去処理期間という）を、ユーザによる操作が可能な十分な時間に設定する。レックビュー制御部１１ｃは、消去処理期間において、レックビュー表示を変化させることで、消去処理期間が始まったことをユーザに認識させるようになっている。例えば、レックビュー制御部１１ｃは、消去処理期間が始まるとレックビュー画像をスライドさせる。
【００２１】
図２及び図３はレックビュー制御部１１ｃの制御の一例を説明するための説明図である。図２は撮影及びレックビュー表示時の操作の様子を示し、図３は図２に対応した画面表示を示している。図２（ａ）及び図３（ａ）は、撮影時の状態を示している。図２（ａ）では、ユーザ２１が撮影機器１０を把持し、フォーカスレンズ２３を調節しながらピントを合わせて、花の被写体２２を撮影する様子を示している。図３（ａ）は図２（ａ）の撮影時に表示されるスルー画を示している。表示部６の表示画面７上には、被写体である花の画像２５を含むスルー画２６が表示されている。
【００２２】
撮影が行われると、レックビュー制御部１１ｃは、撮像画像をレックビュー画像として表示画面７に表示する。図３（ｂ）は、表示画面７上のレックビュー表示を示しており、図２（ｂ）はこのレックビュー表示を確認するユーザの様子を示している。図３（ｂ）においては、表示画面７の全域にレックビュー画像２８が表示されている。また、レックビュー制御部１１ｃは、撮影画像を記録せずに削除するためのコマンドに対応するコマンドボタン表示２９を表示画面７上に表示させている。
【００２３】
レックビュー表示の開始から所定時間が経過すると、レックビュー制御部１１ｃは、消去処理期間に移行する。図３（ｃ１）はこの場合の表示の変化を示しており、表示画面７上のレックビュー画像２８は、画面右側に移動することを示している。図３（ｃ１）中の縦線２９から右側がレックビュー画像２８であり、縦線２９から左側はレックビュー表示以外の表示、例えば、スルー画３０を表示するライブビュー表示が行われていることを示している。なお、図３（ｃ２）では、スルー画３０として、現在撮像部２によって撮影されている被写体の画像２５’が表示されていることを示している。また、図３（ｃ１）では、レックビュー画像を記録部９において記録中であることを示す「記録中」の表示も表示されている。
【００２４】
レックビュー制御部１１ｃは、レックビュー画像２８をスライドさせ、消去処理期間中においてユーザ操作が発生しなければ、レックビュー画像２８を表示画面２７から消去してレックビュー表示を終了する。消去処理期間中において、ユーザ操作が発生すると、レックビュー画像２８が表示画面上から消去されないように、レックビュー画像２８のスライドを停止させ、或いはスライド方向を反転させてレックビュー画像を表示画面の全域に表示させる。
【００２５】
レックビュー制御部１１ｃは、消去処理期間中に、表示画面７上に配置されたタッチパネル８に対する操作を受け付けることができる。図２（ｃ）はユーザ２１が表示画面７上を左手２４でタッチ操作している様子を示している。レックビュー制御部１１ｃは、ユーザ２１の表示画面２７上における操作位置に応じた処理を行うことも可能である。例えば、レックビュー制御部１１ｃは、レックビュー表示の境界である縦線２９を境にして、ユーザ２１が縦線２９の右側のレックビュー画像２８上をタッチすることでレックビュー画像２８の表示領域を広げ、ユーザ２１が縦線２９の左側の領域をタッチすることで、レックビュー画像２８を直ちに消去させてレックビュー表示を終了させるようにすることができる。なお、レックビュー制御部１１ｃは、例えば、ユーザ２１がタッチパネル８上において指をスライドさせる方向に応じて、レックビュー画像２８及びスルー画３０のスライド方向を決定するようにしてもよい。
【００２６】
このように、レックビュー制御部１１ｃは、消去処理期間において徐々にレックビュー画像を表示画面上から消去するようになっており、レックビュー表示の時間を短縮又は延長するユーザ操作を受け付ける時間的な余裕をユーザに与えることが可能である。また、受け付けたユーザ操作によって、レックビュー画像の拡大縮小及びレックビュー表示時間の延長短縮が可能である。
【００２７】
次に、このように構成された実施の形態の動作について図４のフローチャートを参照して説明する。
【００２８】
撮影機器１０の電源がオンになると、図４のステップＳ１において、信号処理及び制御部１１は撮影モードが指示されたか否かを判定する。撮影モードが指示されていない場合には、信号処理及び制御部１１は、ステップＳ２において、再生モードが指示されたか否かを判定する。再生モードが指示されると、信号処理及び制御部１１は、ステップＳ３において、サムネイルの一覧表示を行う。サムネイル一覧を参照したユーザによる画像の選択が行われると、ステップＳ４からステップＳ５に処理を移行して、信号処理及び制御部１１は選択画像の再生を行う。ファイル選択が行われない場合には、ステップＳ６において再生モードの終了を判定する。
【００２９】
一方、撮影モードが指示されると、信号処理及び制御部１１は、ステップＳ１１において、撮像部２からの画像信号に基づいて、表示部６に撮像画像（スルー画）をライブビュー表示させる。この状態でユーザがピント合わせのためにレンズを操作すると、ステップＳ１２から処理をステップＳ１４に移行してマニュアルフォーカスが行われる。レンズ操作が行われない場合には、ステップＳ１３において自動フォーカスが行われる。次にステップＳ１５において、撮影操作が行われたか否かが判定される。
【００３０】
例えばレリーズボタン操作等によって撮影が指示されると、信号処理及び制御部１１は、ステップＳ１６において撮影を行う。信号処理及び制御部１１は、撮像部２からの撮像画像に対して所定の信号処理を施して撮像画像を生成する。レックビュー制御部１１ｃは、ステップＳ２１において、信号処理及び制御部１１によって生成された撮像画像を用いたレックビュー表示を開始する。これにより、表示部６の表示画面の全域に撮像画像がレックビュー画像として表示される。
【００３１】
レックビュー制御部１１ｃは、時計部４からの時刻情報を用いて、レックビュー表示を制御する。例えば、レックビュー制御部１１ｃは、レックビュー表示の開始時刻にレックビュー表示の表示時間ｔを初期化する。レックビュー制御部１１ｃは、レックビュー表示の開始から消去処理開始までの時間（以下、レックビュー設定時間という）を所定の設定値又はユーザの設定操作に基づく時間に設定する。図４は、レックビュー設定時間として２秒が設定された例を示している。
【００３２】
レックビュー制御部１１ｃは、ステップＳ２２において、レックビュー表示の開始時刻からレックビュー設定時間が経過するまでに、レックビュー表示上の削除コマンドボタンの操作が行われたか否かを判定する。レックビュー制御部１１ｃは、タッチパネル８からの操作信号によって削除コマンドボタンがタッチされたことを検出すると、ステップＳ２９においてレックビュー表示を終了する。
【００３３】
レックビュー制御部１１ｃは、表示時間ｔがレックビュー設定時間（２秒間）を超えたことを検出すると（ステップＳ２３）、処理をステップＳ２４に移行して、レックビュー表示の消去処理を開始する。例えば、レックビュー制御部１１ｃは、表示部６の表示画面上においてレックビュー画像を左右方向にシフトさせ、レックビュー画像部分以外の部分に他の画像、例えば撮像部２からのスルー画をライブビュー表示させる。レックビュー画像は、消去処理期間に応じたシフト速度で表示画面上をシフトする。消去処理期間は、レックビュー制御部１１ｃによって所定の設定値又はユーザの設定操作に基づく時間に設定される。
【００３４】
レックビュー制御部１１ｃは、消去処理期間においてユーザによって何らかの操作、例えば画面をタッチする操作が行われなければ、処理をステップＳ２５からステップＳ３０に移行して、レックビュー表示を終了した後、画像ファイル化を行う。即ち、信号処理及び制御部１１は、レックビュー表示していた撮像画像を符号化して画像ファイル化した後、記録部９に与えて記録する。
【００３５】
消去処理期間が開始されると、レックビュー制御部１１ｃはステップＳ２６において何らかの操作、例えば、画面タッチが行われたか否かの判定を行う。
【００３６】
図５は図４中のタッチ判定の具体的な処理を示すフローチャートである。図５のステップＳ４１において、レックビュー制御部１１ｃは、ユーザが画面上のいずれの位置をタッチしたかのタッチ位置判定を行う。表示部６上に配設されたタッチパネル８からの操作信号によって、レックビュー制御部１１ｃはユーザによるタッチ位置を判定することができる。
【００３７】
次に、レックビュー制御部１１ｃは、消去処理開始からの時間とタッチ位置とに基づいて、ユーザがいずれの処理を希望しているかを判定する。図６は横軸に時間をとり縦軸にレックビュー画像の表示左端の画面上の位置をとって、タッチ判定における判定結果を説明するためのグラフである。なお、図６の縦軸は、画面左端を基準にして画面右端を最大値Ｘｒとなるように示している。
【００３８】
レックビュー制御部１１ｃが、消去処理期間においてレックビュー画像を右側にシフトさせるものとすると、レックビュー画像の表示左端の画面上の位置は、図６の太線に示すように変化する。即ち、レックビュー画像の表示左端の画面上の位置Ｘｔは、レックビュー設定時間である２秒後から、画面の右側にシフトを始める。この位置Ｘｔは、単位時間当たりの変化量をａとし、図６の時間０における切片の値をＸｓとすると、Ｘｔ＝ａ・ｔ−Ｘｓによって与えられる。
【００３９】
従って、タッチパネル８の操作信号によって与えられる画面水平方向の位置情報を図６の０〜Ｘｒに変換し、変換後の値Ｘと位置Ｘｔとを比較することによって、ユーザのタッチ位置がレックビュー画像の左端よりも右側即ちレックビュー画像上であるか、左側即ちレックビュー画像以外の画像上であるかを判定することができる。
【００４０】
レックビュー制御部１１ｃは、Ｘ＞ａ・ｔ−Ｘｓの場合には、ユーザがレックビュー画像の左端よりも右側の位置、即ち、レックビュー画像領域をタッチしたものと判定する（ステップＳ４４）。逆に、Ｘ≦ａ・ｔ−Ｘｓの場合には、ユーザがレックビュー画像の左端よりも左側の位置、即ち、レックビュー画像以外の画像領域、例えばライブビュー表示によるスルー画の表示上をタッチしたものと判定する（ステップＳ４３）。
【００４１】
レックビュー制御部１１ｃは、図４のステップＳ２７において、ユーザがスルー画上をタッチしたか否かによって処理を分岐する。レックビュー制御部１１ｃは、スルー画上をタッチしたものと判定した場合には、処理をステップＳ３０に移行して、レックビュー表示を終了する。信号処理及び制御部１１は、レックビュー表示の元となった撮像画像を符号化してファイル化する（ステップＳ３１）。
【００４２】
レックビュー制御部１１ｃは、図４のステップＳ２８において、ユーザがレックビュー画像上をタッチしたか否かに基づいて処理を分岐する。レックビュー制御部１１ｃは、レックビュー画像上をタッチしたものと判定した場合には、処理をステップＳ２１に移行して、表示時間ｔを初期化した後、レックビュー表示を再開する。即ち、この場合には、表示画面の全域にレックビュー画像が表示される。
【００４３】
こうして、ステップＳ２５においてレックビュー画像の消去完了と判定されるまで、レックビュー表示が継続される。信号処理及び制御部１１は、ステップＳ３２において、電源オフ操作が行われた否かを判定する。電源オフ操作が行われていない場合には、信号処理及び制御部１１は、処理をステップＳ１から処理を繰り返す。電源オフ操作が行われた場合には、信号処理及び制御部１１は電源をオフにする（ステップＳ３３）。
【００４４】
このように本実施の形態においては、撮影直後に表示されるレックビュー画像を、レックビュー設定時間の終了の後、表示画面から徐々に消去するようになっている。この消去処理期間が設けられていることから、操作のための時間的な余裕が生じ、ユーザは簡単にレックビュー表示の延長又は短縮操作を行うことができる。また、レックビュー表示領域に対する操作によって、簡単にレックビュー表示の継続を指示することができる。また、レックビュー表示上に削除コマンドボタンを表示させることで、レックビューの元となった撮像画像を消去する指示を行うことも可能である。更に、画面上のレックビュー画像をシフトさせ、レックビュー画像の非表示領域にスルー画を表示させ、いずれの表示領域上をユーザが操作したかに応じて、レックビュー表示を継続するか、スルー画を表示させるかを簡単に選択操作することが可能である。なお、スルー画に代えて他の画像を表示し、他の画像に対応した処理を実行させるようにすることも可能である。
【００４５】
（第２の実施の形態）
図７乃至図１４は本発明の第２の実施の形態に係り、図７は第２の実施の形態に係る撮影機器の外観を示す斜視図である。また、図８乃至図１２は本実施の形態におけるレックビュー表示を説明するための説明図である。
【００４６】
本実施の形態はレックビュー表示の表示方法が第１の実施の形態と異なるのみであり、ハードウェア構成は図１と同様である。撮影機器１０は背面に表示部６が取り付けられており、ユーザは、撮影時等において、表示部６の表示画面７を視認可能に構成されている。
【００４７】
図８は撮影直後におけるレックビュー表示を示しており、表示画面７の略全域にレックビュー画像４１が表示されている。表示画面７の左下端部には、ライブビュー表示によるスルー画４２が表示されている。なお、ライブビュー表示は、撮像部２が撮像中の撮像画像を表示画面上に表示するものである。
【００４８】
図８の例では、レックビュー制御部１１ｃは、表示画面７の左下の矩形領域に、スルー画４２を表示するようになっており、このスルー画４２の表示によって、レックビュー画像の左下の部分に欠けが生じる。
【００４９】
即ち、本実施の形態においては、レックビュー制御部１１ｃは、レックビュー表示中の一部の領域にライブビュー表示を行う。例えば、レックビュー制御部１１ｃは、レックビュー画像４１が見にくくならないように、且つ、スルー画４２の確認が可能なように、例えば、表示画面７の面積の４％の領域にスルー画４２を表示させるようになっている。
【００５０】
なお、図８では表示画面７の左下にスルー画を表示する領域を設けたが、表示画面７上のいずれ位置にライブビュー表示の領域を設けてもよい。例えば、表示画面７の４隅の矩形領域をライブビュー表示の表示領域とすることができる。
【００５１】
本実施の形態においても、レックビュー制御部１１ｃは、レックビュー設定時間終了の後、レックビュー画像を表示画面から徐々に消去するようになっており、レックビュー画像の消去処理開始から消去処理完了までの消去処理期間を、ユーザによる操作が可能な十分な時間に設定するようになっている。
【００５２】
この場合において、レックビュー制御部１１ｃは、図９に示すように、消去処理期間において、スルー画４２を表示するライブビュー表示領域を次第に大きくするようになっている。図９では、表示画面７の面積の４％、９％、１６％、…、８１％、１００％とライブビュー表示の表示領域のサイズを段階的に変化させる例を示している。ライブビュー表示の表示領域が表示画面７の１００％に到達することにより、レックビュー画像４１が表示画面７から完全に消去されて、レックビュー表示が終了する。
【００５３】
本実施の形態においても、レックビュー制御部１１ｃは、消去処理期間において、ユーザの操作を受け付け、ユーザ操作に基づいてレックビュー表示の短縮及び延長を行うことができる。図１０乃至図１２はレックビュー表示の短縮及び延長のための操作の一例を示している。
【００５４】
図１０はユーザが親指４５によって表示画面７上をタッチした状態（以下、タッチ状態という）を示している。レックビュー制御部１１ｃは、レックビュー表示期間のレックビュー設定時間内において図１０のタッチ状態を検出すると、タッチ状態の期間はレックビュー設定時間を延長する。また、レックビュー制御部１１ｃは、レックビュー表示期間の消去処理期間において図１０のタッチ状態を検出すると、タッチ状態の期間はライブビュー表示の拡大（レックビュー画像の縮小）を停止する。
【００５５】
図１１はユーザが親指４５を表示画面７上の中央部分から右斜め上方向にスライドした状態（以下、右上スライド状態という）を示している。レックビュー制御部１１ｃは、レックビュー表示期間において図１１の右上スライド状態を検出すると、ライブビュー表示を拡大する速度を高速にするか又はライブビュー表示を表示画面７の全域に表示してレックビュー表示を終了させる。
【００５６】
図１２はユーザが親指４５を表示画面７上の右上端部から中央部分に向かって左斜め下方向にスライドした状態（以下、左下スライド状態という）を示している。レックビュー制御部１１ｃは、レックビュー表示期間のレックビュー設定時間内において図１２の左下スライド状態を検出すると、レックビュー設定時間を延長する。また、レックビュー制御部１１ｃは、レックビュー表示期間の消去処理期間において図１２の左下スライド状態を検出すると、ライブビュー表示を縮小（レックビュー画像の表示領域の増加）させる。
【００５７】
なお、図１０乃至図１２の操作法は一例であり、また、図１０乃至図１２の操作によるレックビュー表示の表示処理も上述した説明以外の処理であってもよい。
【００５８】
次に、このように構成された実施の形態の動作について図１３及び図１４のフローチャートを参照して説明する。
【００５９】
図１３に示すカメラ制御においては、先ずステップＳ５１においてシャッターボタンが半押しされたか否かが検出される。信号処理及び制御部１１は、シャッターボタンが半押しされたことを検出すると、ステップＳ５２において自動フォーカス制御を行い、ステップＳ５３において自動露出を行う。
【００６０】
信号処理及び制御部１１は、ステップＳ５４において、シャッターボタンが離されたか否かを検出する。ユーザがシャッターボタンを離した場合には、ステップＳ５１乃至Ｓ５３の処理を繰り返す。シャッターボタンが全押しされると、信号処理及び制御部１１はステップＳ５５から処理をステップＳ５６に移行して露光を行う。次いで、信号処理及び制御部１１は、ステップＳ５７において、撮像部２から撮像信号の読出しを行う。
【００６１】
次に、信号処理及び制御部１１は、読出した撮像信号に対して所定の信号処理を行って撮像画像を生成する。信号処理及び制御部１１は、生成した撮像画像を符号化した後、記録再生制御部１１ｂによって記録部９に記録させる（ステップＳ５８）。また、信号処理及び制御部１１は、レックビュー制御部１１ｃによってレックビュー表示を表示部６の表示画面７上に表示させる（ステップＳ５９）。
【００６２】
図１４は本実施の形態におけるレックビュー表示の制御を示している。ステップＳ６１において、レックビュー制御部１１ｃは、生成した撮像画像をレックビュー画像として表示部６の表示画面７に表示させる。更に、レックビュー制御部１１ｃは、ステップＳ６２において、撮像部２からのスルー画をライブ表示として表示部６の表示画面７の一部の領域に表示する。これにより、例えば、図８に示すように、表示画面７の４隅の一角にライブビュー表示によるスルー画４２が表示され、表示画面７の略全域にレックビュー画像４１が表示される。
【００６３】
次に、レックビュー制御部１１ｃは、レックビュー設定時間、消去処理期間及びライブビュー表示サイズの変更を制御するための時間を計測するために、時計部４のタイマーをスタートさせる。次に、レックビュー制御部１１ｃは、ステップＳ６４において、表示画面７上に配設されたタッチパネル８がタッチされたか否かを判定する。
【００６４】
いま、例えば、ユーザがシャッターボタンを全押しして撮影を行った後、表示画面７をタッチしないものとする。この場合には、レックビュー制御部１１ｃは、処理をステップＳ６５に移行し、レックビュー設定時間（例えば２秒間）に到達したか否かを判定する。ライブビュー表示の開始からレックビュー設定時間が経過するまで表示画面７がタッチされない場合には、処理はステップＳ６６に移行して、消去処理期間が開始される。
【００６５】
レックビュー制御部１１ｃは、先ず消去処理期間の計測時間を初期化する。次いで、レックビュー制御部１１ｃは、ライブビュー表示のサイズを１段階拡大する。これにより、レックビュー表示は、図９に示すように、ライブビュー表示によるスルー画４２のサイズが表示画面７の９％のサイズまで拡大され、その分レックビュー画像４１の左下の部分に欠けが生じる。
【００６６】
次のステップＳ６８において、レックビュー制御部１１ｃは、ライブビュー表示が最大のサイズ、即ち、表示画面の全域に表示されたか否かを判定する。ライブビュー表示サイズが最大に到達していない場合には、処理をステップＳ６４に戻す。
【００６７】
ユーザにより表示画面７がタッチされない場合には、ステップＳ６４〜Ｓ６８の処理が繰り返される。ステップＳ６５では、段階的なライブビュー表示サイズの拡大を行うまでの時間が経過したか否かが判定される。例えば、消去処理期間として、ユーザがレックビュー表示が終了しようとすることを確認すると共に、レックビュー表示が完全に終了するまでの間にレックビュー表示の延長や短縮操作が可能なように、３．５秒間が設定されているものとする。この場合において、図９の例のように、ライブビュー表示サイズを９段階で切換えるものとすると、各段階のサイズ切換を行うための時間として、ステップＳ６５においてはステップＳ６６の初期化から０．５秒経過したか否かを判定すればよい。なお、消去処理期間は、第１の実施の形態と同様に、ユーザによって設定変更可能であり、例えば、１秒から２０秒まで０．５秒単位で設定可能にする。
【００６８】
ステップＳ６４〜Ｓ６８の処理が繰り返されることにより、ライブビュー表示サイズは最大となり、レックビュー画像４２が表示画面７から完全に消去されて、ライブビュー表示が終了する。
【００６９】
次に、ライブビュー表示期間において、ユーザが表示画面７をタッチするものとする。この場合には、処理がステップＳ６４からステップＳ７１に移行して、計測時間が初期化される。次に、レックビュー制御部１１ｃは、ステップＳ７２においてユーザがタッチした表示画面７上の座標値を取得し、ステップＳ７３において、タッチした指等が表示画面７上をスライドしたか否かを判定する。レックビュー制御部１１ｃは、例えば、０．１秒間の座標値の差からスライドの有無を検出することができる。更に、レックビュー制御部１１ｃは、ステップＳ７４において、スライド量が基準量以上であったか否かを判定する。
【００７０】
ユーザが表示画面７をスライドすることなくタッチした場合、又はスライド量が基準量よりも小さい場合には、処理がステップＳ６４に移行する。ユーザが表示画面７をタッチし続ける限り、処理はステップＳ６４，Ｓ７１〜Ｓ７４を繰り返し、レックビュー表示は変化しない。ユーザが表示画面７から指を離すと、処理がステップＳ６４からステップＳ６５に移行して、ステップＳ７１の初期化からの時間が、段階的なライブビュー表示サイズの拡大を行うまでの時間に到達したか否かが判定され、上述した処理が繰り返される。
【００７１】
ここで、ユーザが表示画面７上を基準量以上のスライド量でスライドさせるものとする。この場合には、処理がステップＳ７４からステップＳ７５に移行して、レックビュー制御部１１ｃは、スライド方向がライブビュー表示を拡大する方向に対応しているか否かを判定する。スライド方向がライブビュー表示を拡大する方向に対応している場合には、レックビュー制御部１１ｃは、処理をステップＳ７６に移行して、スライド量に応じた段階だけライブビュー表示サイズを拡大する。例えば、段階数をＮとして、Ｎ＝スライド量／基準量とする。基準量を図９の１段階の実際のサイズに設定することにより、指を動かした量に相当する段階だけ、ライブビュー表示サイズを拡大することができる。
【００７２】
スライド方向がライブビュー表示を縮小する方向に対応している場合には、レックビュー制御部１１ｃは、処理をステップＳ７７に移行して、スライド量に応じた段階だけライブビュー表示サイズを縮小する。例えば、段階数をＮとして、Ｎ＝スライド量／基準量とする。基準量を図９の１段階の実際のサイズに設定することにより、指を動かした量に相当する段階だけ、ライブビュー表示サイズを縮小することができる。
【００７３】
このように、本実施の形態においては、第１の実施の形態と同様の効果が得られると共に、表示画面をタッチする操作、スライドする操作に応じて、ライブビュー表示サイズを変更することが可能である。
【００７４】
なお、上記各実施の形態においては、撮影機器の本体に設けた表示部にレックビュー表示を行う例について説明したが、撮影機器の外付け部品であるビューファインダー等にレックビュー表示を行うようにしてもよいことは明らかである。
【符号の説明】
【００７５】
３…操作判定部、４…時計部、１０…撮影機器、１１…信号処理及び制御部、１１ａ…表示制御部、１１ｂ…記録再生制御部、１１ｃ…レックビュー制御部、６…表示部、８…タッチパネル、９…記録部。
【図１】
0005775719.tif 000002
【図２】
0005775719.tif 000003
【図３】
0005775719.tif 000004
【図４】
0005775719.tif 000005
【図５】
0005775719.tif 000006
【図６】
0005775719.tif 000007
【図７】
0005775719.tif 000008
【図８】
0005775719.tif 000009
【図９】
0005775719.tif 000010
【図１０】
0005775719.tif 000011
【図１１】
0005775719.tif 000012
【図１２】
0005775719.tif 000013
【図１３】
0005775719.tif 000014
【図１４】
0005775719.tif 000015